【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
照射部、撮像部及び表色設定部を備え、
前記照射部は、異なる波長強度分布を有する赤外線を被写体に照射し、
前記撮像部は、前記被写体により反射された異なる波長強度分布を有するそれぞれの赤外線による前記被写体の画像を撮像してそれぞれの画像を表わす画像情報を形成し、
前記表色設定部は、前記形成された画像情報が表わす画像それぞれを異なる単色により表色するための表色情報を前記画像情報に設定し、ここで、前記表色情報を設定された画像情報を｜Ｃ＞により表わすと、
｜Ｃ＞＝Ｈ｜Ｉ＞、
｜Ｃ＞＝（Ｒ，Ｇ，Ｂ）、
｜Ｉ＞Ｔ＝（Ｉ１（ｘ，ｙ），Ｉ２（ｘ，ｙ），Ｉ３（ｘ，ｙ），・・・，Ｉｎ（ｘ，ｙ））
であって、ここで、
Ｉ１（ｘ，ｙ），Ｉ２（ｘ，ｙ），Ｉ３（ｘ，ｙ），・・・，Ｉｎ（ｘ，ｙ）は、前記撮像されたそれぞれの画像を表わす画像情報であって、ここで、（ｘ，ｙ）は、前記それぞれの画像の面内位置であり、ｎは整数であり、
Ｈは、３×ｎマトリックスで表される前記表色情報であり、
Ｒ、ＧおよびＢは、前記｜Ｃ＞が表す３原色「Ｒ」、「Ｇ」および「Ｂ」それぞれの明度であり、更に、
前記Ｉ１（ｘ，ｙ）を「Ｒ波長領域」に最も近い波長強度分布を有する赤外線により撮像された第１画像の画像情報とし、
前記Ｒを主に前記Ｉ１（ｘ，ｙ）に依存させるように前記Ｈを設定することを特徴とする画像撮影装置。
【請求項２】
照射部、撮像部及び表色設定部を備え、
前記照射部は、異なる波長強度分布を有する赤外線を被写体に照射し、
前記撮像部は、前記被写体により反射された異なる波長強度分布を有するそれぞれの赤外線による前記被写体の画像を撮像してそれぞれの画像を表わす画像情報を形成し、
前記表色設定部は、前記形成された画像情報が表わす画像のうち、「Ｒ波長領域」に最も近い波長強度分布を有する赤外線により撮像された第１画像を「Ｒ」により表色するための表色情報を、前記第１画像を表す画像情報に設定し、前記第１画像以外の前記撮像された画像を前記「Ｒ」以外により表色するための表色情報を、前記第１画像を表す画像情報以外の前記形成された画像情報に設定することを特徴とする画像撮影装置。
【請求項３】
照射部、撮像部及び表色設定部を備え、
前記照射部は、異なる波長強度分布を有する赤外線を被写体に照射し、
前記撮像部は、前記被写体により反射された異なる波長強度分布を有するそれぞれの赤外線による前記被写体の画像を撮像してそれぞれの画像を表わす画像情報を形成し、
前記表色設定部は、前記形成された画像情報が表わす画像のうち、「Ｒ波長領域」に最も近い波長強度分布を有する赤外線により撮像された第１画像を「Ｒ」により表色するための表色情報を、前記第１画像を表す画像情報に設定し、
前記「Ｒ波長領域」に最も近い波長強度分布を有する赤外線の次に近い波長強度分布を有する赤外線により撮像された第２画像を「Ｂ」により表色するための表色情報を、前記第２画像を表す画像情報に設定し、
前記第１画像および前記第２画像以外の前記撮像された第３画像を「Ｇ」により表色するための表色情報を、前記第３画像を表す画像情報に設定することを特徴とする画像撮影装置。
【請求項４】
更に、ｎ＝３であることを特徴とする請求項１に記載の画像撮影装置。
【請求項５】
更に、
【数１】
2011050049.tif 000001
であり、前記マトリックスＨの要素α２，α３，β１，β２，γ１，γ３をゼロに、または、他の要素と比較して十分小さくすることを特徴とする請求項４に記載の画像撮影装置。
【請求項６】
分離部、撮像部及び表色設定部を備え、
前記分離部は、被写体からの光線を、異なる波長強度分布を有する赤外線に分離し、
前記撮像部は、それぞれの前記赤外線により前記被写体の画像を撮像して画像情報を形成し、
前記表色設定部は、前記形成された画像情報が表わす画像それぞれを異なる単色により表色するための表色情報を前記画像情報に設定し、ここで、前記表色情報を設定された画像情報を｜Ｃ＞により表わすと、
｜Ｃ＞＝Ｈ｜Ｉ＞、
｜Ｃ＞＝（Ｒ，Ｇ，Ｂ）、
｜Ｉ＞Ｔ＝（Ｉ１（ｘ，ｙ），Ｉ２（ｘ，ｙ），Ｉ３（ｘ，ｙ），・・・，Ｉｎ（ｘ，ｙ））
であって、ここで、
Ｉ１（ｘ，ｙ），Ｉ２（ｘ，ｙ），Ｉ３（ｘ，ｙ），・・・，Ｉｎ（ｘ，ｙ）は、前記撮像されたそれぞれの画像を表わす画像情報であって、ここで、（ｘ，ｙ）は、前記それぞれの画像の面内位置であり、ｎは整数であり、
Ｈは、３×ｎマトリックスで表される前記表色情報であり、
Ｒ、ＧおよびＢは、前記｜Ｃ＞が表す３原色「Ｒ」、「Ｇ」および「Ｂ」それぞれの明度であり、更に、
前記Ｉ１（ｘ，ｙ）を「Ｒ波長領域」に最も近い波長強度分布を有する赤外線により撮像された第１画像の画像情報とし、
前記Ｒを主に前記Ｉ１（ｘ，ｙ）に依存させるように前記Ｈを設定することを特徴とする画像撮影装置。
【請求項７】
分離部、撮像部及び表色設定部を備え、
前記分離部は、被写体からの光線を、異なる波長強度分布を有する光線に分離し、
前記撮像部は、それぞれの前記異なる波長強度分布を有する光線により前記被写体の画像を撮像して画像情報を形成し、
前記表色設定部は、前記形成された画像情報が表わす画像それぞれを異なる単色により表色するための表色情報を前記画像情報に設定し、ここで、前記表色情報を設定された画像情報を｜Ｃ＞により表わすと、
｜Ｃ＞＝Ｈ｜Ｉ＞、
｜Ｃ＞＝（Ｒ，Ｇ，Ｂ）、
｜Ｉ＞Ｔ＝（Ｉ１（ｘ，ｙ），Ｉ２（ｘ，ｙ），Ｉ３（ｘ，ｙ），・・・，Ｉｎ（ｘ，ｙ））
であって、ここで、
Ｉ１（ｘ，ｙ），Ｉ２（ｘ，ｙ），Ｉ３（ｘ，ｙ），・・・，Ｉｎ（ｘ，ｙ）は、前記撮像されたそれぞれの画像を表わす画像情報であって、ここで、（ｘ，ｙ）は、前記それぞれの画像の面内位置であり、ｎは整数であり、
Ｈは、３×ｎマトリックスで表される前記表色情報であり、
Ｒ、ＧおよびＢは、前記｜Ｃ＞が表す３原色「Ｒ」、「Ｇ」および「Ｂ」それぞれの明度であり、更に、
前記Ｉ１（ｘ，ｙ）を「Ｒ波長領域」を有する可視光線及び前記「Ｒ波長領域」に最も近い波長強度分布を有する赤外線により撮像された第１画像の画像情報とし、
前記Ｒを主に前記Ｉ１（ｘ，ｙ）に依存させるように前記Ｈを設定することを特徴とする画像撮影装置。
【請求項８】
分離部、撮像部及び表色設定部を備え、
前記分離部は、被写体からの光線を、異なる波長強度分布を有する赤外線に分離し、
前記撮像部は、それぞれの前記赤外線により前記被写体の画像を撮像して画像情報を形成し、
前記表色設定部は、前記形成された画像情報が表わす画像のうち、「Ｒ波長領域」に最も近い波長強度分布を有する赤外線により撮像された第１画像を「Ｒ」により表色するための表色情報を、前記第１画像を表す画像情報に設定し、前記第１画像以外の前記撮像された画像を前記「Ｒ」以外により表色するための表色情報を、前記第１画像を表す画像情報以外の前記形成された画像情報に設定することを特徴とする画像撮影装置。
【請求項９】
分離部、撮像部及び表色設定部を備え、
前記分離部は、被写体からの光線を、異なる波長強度分布を有する光線に分離し、
前記撮像部は、それぞれの前記異なる波長強度分布を有する光線により前記被写体の画像を撮像して画像情報を形成し、
前記表色設定部は、前記形成された画像情報が表わす画像のうち、「Ｒ波長領域」を有する可視光線及び前記「Ｒ波長領域」に最も近い波長強度分布を有する赤外線により撮像された第１画像を「Ｒ」により表色するための表色情報を、前記第１画像を表す画像情報に設定し、前記第１画像以外の前記撮像された画像を前記「Ｒ」以外により表色するための表色情報を、前記第１画像を表す画像情報以外の前記形成された画像情報に設定することを特徴とする画像撮影装置。
【請求項１０】
分離部、撮像部及び表色設定部を備え、
前記分離部は、被写体からの光線を、異なる波長強度分布を有する赤外線に分離し、
前記撮像部は、それぞれの前記赤外線により前記被写体の画像を撮像して画像情報を形成し、
前記表色設定部は、前記形成された画像情報が表わす画像のうち、「Ｒ波長領域」に最も近い波長強度分布を有する赤外線により撮像された第１画像を「Ｒ」により表色するための表色情報を、前記第１画像を表す画像情報に設定し、
前記「Ｒ波長領域」に最も近い波長強度分布を有する赤外線の次に近い波長強度分布を有する赤外線により撮像された第２画像を「Ｂ」により表色するための表色情報を、前記第２画像を表す画像情報に設定し、
前記第１画像および前記第２画像以外の前記撮像された第３画像を「Ｇ」により表色するための表色情報を、前記第３画像を表す画像情報に設定することを特徴とする画像撮影装置。
【請求項１１】
分離部、撮像部及び表色設定部を備え、
前記分離部は、被写体からの光線を、異なる波長強度分布を有する光線に分離し、
前記撮像部は、それぞれの前記異なる波長強度分布を有する光線により前記被写体の画像を撮像して画像情報を形成し、
前記表色設定部は、前記形成された画像情報が表わす画像のうち、「Ｒ波長領域」を有する可視光線及び前記「Ｒ波長領域」に最も近い波長強度分布を有する赤外線により撮像された第１画像を「Ｒ」により表色するための表色情報を、前記第１画像を表す画像情報に設定し、
「Ｂ波長領域」を有する可視光線及び前記「Ｒ波長領域」に最も近い波長強度分布を有する赤外線の次に近い波長強度分布を有する赤外線により撮像された第２画像を「Ｂ」により表色するための表色情報を、前記第２画像を表す画像情報に設定し、
前記第１画像および前記第２画像以外の前記撮像された第３画像を「Ｇ」により表色するための表色情報を、前記第３画像を表す画像情報に設定することを特徴とする画像撮影装置。
【請求項１２】
更に、ｎ＝３であることを特徴とする請求項６または７に記載の画像撮影装置。
【請求項１３】
更に、
【数２】
2011050049.tif 000002
であり、前記マトリックスＨの要素α２，α３，β１，β２，γ１，γ３をゼロに、または、他の要素と比較して十分小さくすることを特徴とする請求項１２に記載の画像撮影装置。
【請求項１４】
照射部、分離部、撮像部及び表色設定部を備え、
前記照射部は、異なる波長強度分布を有する赤外線を被写体に照射し、
前記分離部は、前記被写体からの可視光線を、異なる波長強度分布を有する可視光線に分離し、
前記撮像部は、前記被写体により反射された異なる波長強度分布を有するそれぞれの赤外線及び前記異なる波長強度分布を有するそれぞれの可視光線により前記被写体の画像を撮像して画像情報を形成し、
前記表色設定部は、前記形成された画像情報が表わす画像それぞれを異なる単色により表色するための表色情報を前記画像情報に設定し、ここで、前記表色情報を設定された画像情報を｜Ｃ＞により表わすと、
｜Ｃ＞＝Ｈ｜Ｉ＞、
｜Ｃ＞＝（Ｒ，Ｇ，Ｂ）、
｜Ｉ＞Ｔ＝（Ｉ１（ｘ，ｙ），Ｉ２（ｘ，ｙ），Ｉ３（ｘ，ｙ），・・・，Ｉｎ（ｘ，ｙ））
であって、ここで、
Ｉ１（ｘ，ｙ），Ｉ２（ｘ，ｙ），Ｉ３（ｘ，ｙ），・・・，Ｉｎ（ｘ，ｙ）は、前記撮像されたそれぞれの画像を表わす画像情報であって、ここで、（ｘ，ｙ）は、前記それぞれの画像の面内位置であり、ｎは整数であり、
Ｈは、３×ｎマトリックスで表される前記表色情報であり、
Ｒ、ＧおよびＢは、前記｜Ｃ＞が表す３原色「Ｒ」、「Ｇ」および「Ｂ」それぞれの明度であり、更に、
前記Ｉ１（ｘ，ｙ）を「Ｒ波長領域」を有する可視光線及び前記「Ｒ波長領域」に最も近い波長強度分布を有する赤外線により撮像された第１画像の画像情報とし、
前記Ｒを主に前記Ｉ１（ｘ，ｙ）に依存させるように前記Ｈを設定することを特徴とする画像撮影装置。
【請求項１５】
照射部、分離部、撮像部及び表色設定部を備え、
前記照射部は、異なる波長強度分布を有する赤外線を被写体に照射し、
前記分離部は、前記被写体からの可視光線を、異なる波長強度分布を有する可視光線に分離し、
前記撮像部は、前記被写体により反射された異なる波長強度分布を有するそれぞれの赤外線及び前記異なる波長強度分布を有するそれぞれの可視光線により前記被写体の画像を撮像して画像情報を形成し、
前記表色設定部は、前記形成された画像情報が表わす画像のうち、「Ｒ波長領域」を有する可視光線及び前記「Ｒ波長領域」に最も近い波長強度分布を有する赤外線により撮像された第１画像を「Ｒ」により表色するための表色情報を、前記第１画像を表す画像情報に設定し、前記第１画像以外の前記撮像された画像を前記「Ｒ」以外により表色するための表色情報を、前記第１画像を表す画像情報以外の前記形成された画像情報に設定することを特徴とする画像撮影装置。
【請求項１６】
照射部、分離部、撮像部及び表色設定部を備え、
前記照射部は、異なる波長強度分布を有する赤外線を被写体に照射し、
前記分離部は、前記被写体からの可視光線を、異なる波長強度分布を有する可視光線に分離し、
前記撮像部は、前記被写体により反射された異なる波長強度分布を有するそれぞれの赤外線及び前記異なる波長強度分布を有するそれぞれの可視光線により前記被写体の画像を撮像して画像情報を形成し、
前記表色設定部は、前記形成された画像情報が表わす画像のうち、「Ｒ波長領域」を有する可視光線及び前記「Ｒ波長領域」に最も近い波長強度分布を有する赤外線により撮像された第１画像を「Ｒ」により表色するための表色情報を、前記第１画像を表す画像情報に設定し、
「Ｂ波長領域」を有する可視光線及び前記「Ｒ波長領域」に最も近い波長強度分布を有する赤外線の次に近い波長強度分布を有する赤外線により撮像された第２画像を「Ｂ」により表色するための表色情報を、前記第２画像を表す画像情報に設定し、
前記第１画像および前記第２画像以外の前記撮像された第３画像を「Ｇ」により表色するための表色情報を、前記第３画像を表す画像情報に設定することを特徴とする画像撮影装置。
【請求項１７】
更に、ｎ＝３であることを特徴とする請求項１４に記載の画像撮影装置。
【請求項１８】
更に、
【数３】
2011050049.tif 000003
であり、前記マトリックスＨの要素α２，α３，β１，β２，γ１，γ３をゼロに、または、他の要素と比較して十分小さくすることを特徴とする請求項１７に記載の画像撮影装置。
【請求項１９】
更に、前記被写体に赤外線を照射する照射部を備えることを特徴とする請求項６から１３のいずれかに一項に記載の画像撮影装置。
【請求項２０】
更に、前記撮像部は、複数の画素を備え、
前記分離部は、前記複数の画素それぞれに被着して成ることを特徴とする請求項６から１９のいずれかに一項に記載の画像撮影装置。
【請求項２１】
更に、前記表色情報を設定された画像情報の表わす画像を前記表色情報に従って表色して表示する表示部を備えることを特徴とする請求項１から２０のいずれかに一項に記載の画像撮影装置。
【請求項２２】
更に、前記表色情報を設定された画像情報を保存する画像保存部を備えることを特徴とする請求項１から２１のいずれかに一項に記載の画像撮影装置。
【請求項２３】
更に、前記撮像部がシリコンイメージセンサーを備えることを特徴とする請求項１から２２のいずれかに一項に記載の画像撮影装置。
【請求項２４】
所定の波長強度分布を有する赤外線を反射する被着性部材を有する被写体に赤外線を照射し、前記被写体により反射された赤外線により撮像された画像により前記被写体のカラー画像を得ることを特徴とする画像撮影方法。
【請求項２５】
更に、前記被写体により反射された赤外線により撮像された画像により可視光線下における前記被写体のカラーと同一又は近似した前記被写体のカラー画像を得ることを特徴とする請求項２４に記載の画像撮影方法。
【手続補正２】
【補正対象書類名】図面
【補正対象項目名】図２８
【補正方法】変更
【補正の内容】
【図２８】
2011050049.tif 000004